【手続補正書】
【提出日】平成15年10月2日(2003.10.2)
【手続補正１】
【補正対象書類名】明細書
【補正対象項目名】発明の名称
【補正方法】変更
【補正の内容】
【発明の名称】ディジタル信号符号化方法および装置、並びにディジタル信号伝送方法および装置
【手続補正２】
【補正対象書類名】明細書
【補正対象項目名】特許請求の範囲
【補正方法】変更
【補正の内容】
【特許請求の範囲】
【請求項１】
所定の数のバッファを経由してデコードされるディジタル信号のビットストリームを符号化するディジタル信号符号化方法であって、
前記ビットストリームごとに規定されるアクセスユニットを、所定の大きさの疑似アクセスユニットに分割したときの、その疑似アクセスユニットの、前記バッファへの入力完了時刻を、前記アクセスユニットのデコード時刻と、前記バッファのデータ転送レートとに基づいて計算し、
前記入力完了時刻までに、前記疑似アクセスユニットが、前記バッファに入力されるように、前記アクセスユニットをパケット化する
ことを特徴とするディジタル信号符号化方法。
【請求項２】
所定の数のバッファを経由してデコードされるディジタル信号のビットストリームを符号化するディジタル信号符号化装置であって、
前記ビットストリームごとに規定されるアクセスユニットを、所定の大きさの疑似アクセスユニットに分割したときの、その疑似アクセスユニットの、前記バッファへの入力完了時刻を、前記アクセスユニットのデコード時刻と、前記バッファのデータ転送レートとに基づいて計算する演算手段と、
前記入力完了時刻までに、前記疑似アクセスユニットが、前記バッファに入力されるように、前記アクセスユニットをパケット化するパケット化手段と
を備えることを特徴とするディジタル信号符号化装置。
【請求項３】
所定の数のバッファを経由してデコードされるディジタル信号のビットストリームを伝送するディジタル信号伝送方法であって、
前記ビットストリームごとに規定されるアクセスユニットを、所定の大きさの疑似アクセスユニットに分割したときの、その疑似アクセスユニットの、前記バッファへの入力完了時刻を、前記アクセスユニットのデコード時刻と、前記バッファのデータ転送レートとに基づいて計算し、
前記入力完了時刻までに、前記疑似アクセスユニットが、前記バッファに入力されるように、前記アクセスユニットをパケット化して伝送ストリームを生成し、
その伝送ストリームを伝送する
ことを特徴とするディジタル信号伝送方法。
【請求項４】
所定の数のバッファを経由してデコードされるディジタル信号のビットストリームを符号化するディジタル信号伝送装置であって、
前記ビットストリームごとに規定されるアクセスユニットを、所定の大きさの疑似アクセスユニットに分割したときの、その疑似アクセスユニットの、前記バッファへの入力完了時刻を、前記アクセスユニットのデコード時刻と、前記バッファのデータ転送レートとに基づいて計算する演算手段と、
前記入力完了時刻までに、前記疑似アクセスユニットが、前記バッファに入力されるように、前記アクセスユニットをパケット化して伝送ストリームを生成するパケット化手段と、
前記伝送ストリームを伝送する伝送手段と
を備えることを特徴とするディジタル信号伝送装置。
【請求項５】
少なくとも１つのバッファを経由してデコードされるディジタル信号のビットストリームを符号化するディジタル信号符号化方法であって、  前記ビットストリームごとに規定されるアクセスユニットの複数を、前記バッファの大きさとそのデータ転送レートとに基づいた大きさの疑似アクセスユニットに統合したときの、その疑似アクセスユニットの、前記バッファへの入力完了時刻を計算し、
前記入力完了時刻までに、前記疑似アクセスユニットが、前記バッファに入力されるように、前記アクセスユニットをパケット化する
ことを特徴とするディジタル信号符号化方法。
【請求項６】
少なくとも１つのバッファを経由してデコードされるディジタル信号のビットストリームを符号化するディジタル信号符号化装置であって、  前記ビットストリームごとに規定されるアクセスユニットの複数を、前記バッファの大きさとそのデータ転送レートとに基づいた大きさの疑似アクセスユニットに統合したときの、その疑似アクセスユニットの、前記バッファへの入力完了時刻を計算する演算手段と、
前記入力完了時刻までに、前記疑似アクセスユニットが、前記バッファに入力されるように、前記アクセスユニットをパケット化するパケット化手段と
を備えることを特徴とするディジタル信号符号化装置。
【請求項７】
少なくとも１つのバッファを経由してデコードされるディジタル信号のビットストリームを伝送するディジタル信号伝送方法であって、
前記ビットストリームごとに規定されるアクセスユニットの複数を、前記バッファの大きさとそのデータ転送レートとに基づいた大きさの疑似アクセスユニットに統合したときの、その疑似アクセスユニットの、前記バッファへの入力完了時刻を計算し、
前記入力完了時刻までに、前記疑似アクセスユニットが、前記バッファに入力されるように、前記アクセスユニットをパケット化して伝送ストリームを生成し、
その伝送ストリームを伝送する
ことを特徴とするディジタル信号伝送方法。
【請求項８】
少なくとも１つのバッファを経由してデコードされるディジタル信号のビットストリームを伝送するディジタル信号伝送装置であって、
前記ビットストリームごとに規定されるアクセスユニットの複数を、前記バッファの大きさとそのデータ転送レートとに基づいた大きさの疑似アクセスユニットに統合したときの、その疑似アクセスユニットの、前記バッファへの入力完了時刻を計算する演算手段と、
前記入力完了時刻までに、前記疑似アクセスユニットが、前記バッファに入力されるように、前記アクセスユニットをパケット化して伝送ストリームを生成するパケット化手段と、
前記伝送ストリームを伝送する伝送手段と
を備えることを特徴とするディジタル信号伝送装置。
【手続補正３】
【補正対象書類名】明細書
【補正対象項目名】０００１
【補正方法】変更
【補正の内容】
【０００１】
【発明の属する技術分野】
本発明は、ディジタル信号符号化方法および装置、並びにディジタル信号伝送方法および装置に関し、特に、複数のビットストリームを多重化してパケット化して得られたストリームを記録媒体に記録するシステムや、伝送路を介して受信側に送信するシステムなどに用いて好適なディジタル信号符号化方法および装置、並びにディジタル信号伝送方法および装置に関する。


【手続補正４】
【補正対象書類名】明細書
【補正対象項目名】００３７
【補正方法】削除
【補正の内容】
【手続補正５】
【補正対象書類名】明細書
【補正対象項目名】００３８
【補正方法】変更
【補正の内容】
【００３８】
請求項５に記載のディジタル信号符号化方法は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、入力完了時刻までに、疑似アクセスユニットが、バッファに入力されるように、アクセスユニットをパケット化することを特徴とする。


【手続補正６】
【補正対象書類名】明細書
【補正対象項目名】００３９
【補正方法】変更
【補正の内容】
【００３９】
請求項６に記載のディジタル信号符号化装置は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算する演算手段と、入力完了時刻までに、疑似アクセスユニットが、バッファに入力されるように、アクセスユニットをパケット化するパケット化手段とを備えることを特徴とする。


【手続補正７】
【補正対象書類名】明細書
【補正対象項目名】００４０
【補正方法】変更
【補正の内容】
【００４０】
請求項７に記載のディジタル信号伝送方法は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、入力完了時刻までに、疑似アクセスユニットが、バッファに入力されるように、アクセスユニットをパケット化して伝送ストリームを生成し、その伝送ストリームを伝送することを特徴とする。


【手続補正８】
【補正対象書類名】明細書
【補正対象項目名】００４１
【補正方法】変更
【補正の内容】
【００４１】
請求項８に記載のディジタル信号伝送装置は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算する演算手段と、入力完了時刻までに、疑似アクセスユニットが、バッファに入力されるように、アクセスユニットをパケット化して伝送ストリームを生成するパケット化手段と、伝送ストリームを伝送する伝送手段とを備えることを特徴とする。


【手続補正９】
【補正対象書類名】明細書
【補正対象項目名】００４２
【補正方法】削除
【補正の内容】
【手続補正１０】
【補正対象書類名】明細書
【補正対象項目名】００４７
【補正方法】削除
【補正の内容】
【手続補正１１】
【補正対象書類名】明細書
【補正対象項目名】００４８
【補正方法】変更
【補正の内容】
【００４８】
請求項５に記載のディジタル信号符号化方法においては、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、入力完了時刻までに、疑似アクセスユニットが、バッファに入力されるように、アクセスユニットをパケット化するようになされている。


【手続補正１２】
【補正対象書類名】明細書
【補正対象項目名】００４９
【補正方法】変更
【補正の内容】
【００４９】
請求項６に記載のディジタル信号符号化装置においては、演算手段は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、パケット化手段は、入力完了時刻までに、疑似アクセスユニットが、バッファに入力されるように、アクセスユニットをパケット化するようになされている。


【手続補正１３】
【補正対象書類名】明細書
【補正対象項目名】００５０
【補正方法】変更
【補正の内容】
【００５０】
請求項７に記載のディジタル信号伝送方法においては、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、入力完了時刻までに、疑似アクセスユニットが、バッファに入力されるように、アクセスユニットをパケット化して伝送ストリームを生成し、その伝送ストリームを伝送するようになされている。


【手続補正１４】
【補正対象書類名】明細書
【補正対象項目名】００５１
【補正方法】変更
【補正の内容】
【００５１】
請求項８に記載のディジタル信号伝送装置においては、演算手段は、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻を計算し、パケット化手段は、入力完了時刻までに、疑似アクセスユニットが、バッファに入力されるように、アクセスユニットをパケット化して伝送ストリームを生成するようになされている。伝送手段は、伝送ストリームを伝送するようになされている。


【手続補正１５】
【補正対象書類名】明細書
【補正対象項目名】００５２
【補正方法】削除
【補正の内容】
【手続補正１６】
【補正対象書類名】明細書
【補正対象項目名】０１１３
【補正方法】変更
【補正の内容】
【０１１３】
【発明の効果】
請求項１に記載のディジタル信号符号化方法および請求項２に記載のディジタル信号符号化装置によれば、ビットストリームごとに規定されるアクセスユニットを、所定の大きさの疑似アクセスユニットに分割したときの、その疑似アクセスユニットの、バッファへの入力完了時刻が、アクセスユニットのデコード時刻と、バッファのデータ転送レートとに基づいて計算され、その入力完了時刻までに、疑似アクセスユニットが、バッファに入力されるように、アクセスユニットがパケット化される。また、請求項３に記載のディジタル信号伝送方法および請求項４に記載のディジタル信号伝送装置によれば、そのようにパケット化されて生成された伝送ストリームが伝送される。従って、多重化のアルゴリズムを大幅に簡素化し、これにより、符号化を容易に行うことが可能となる。


【手続補正１７】
【補正対象書類名】明細書
【補正対象項目名】０１１４
【補正方法】変更
【補正の内容】
【０１１４】
請求項５に記載のディジタル信号符号化方法および請求項６に記載のディジタル信号符号化装置によれば、ビットストリームごとに規定されるアクセスユニットの複数を、バッファの大きさとそのデータ転送レートとに基づいた大きさの疑似アクセスユニットに統合したときの、その疑似アクセスユニットの、バッファへの入力完了時刻が計算され、その入力完了時刻までに、疑似アクセスユニットが、バッファに入力されるように、アクセスユニットがパケット化される。また、請求項７に記載のディジタル信号伝送方法および請求項８に記載のディジタル信号伝送装置によれば、そのようにパケット化されて生成された伝送ストリームが伝送される。従って、パケット化の回数を大幅に減少させ、これにより、多重化の処理を効率良く行うことが可能となる。